(57)【要約】【課題】冷蔵庫などから取り出した未開封ボトルのキャップの開封が、キャップオープナーをその都度捜さなくても簡単にできるようにする。【解決手段】扉１の把手２の下部側に斜め下向き（下部側が手前、上部側が奥側）のキャップ挿込穴３を備えるようにした。キャップ挿込穴３はペットボトル１０などのキャップ１１の挿し込みが可能に、例えば下部開口径が３２ｍｍ、上部底径が２７ｍｍのテーパ状に形成される。また、キャップ挿込穴３の内壁面には凹凸加工が施されて、キャップ挿込穴３に圧入されるボトルキャップ１０との摩擦係数を大きくし、キャップ挿込穴３に圧入されたキャップ１１を確実にホールドして、ペットボトル１０を反時計回りの方向に回転したときに、キャップ１１がペットボトル１０から確実に外れるように構成した。【選択図】      図１
2004286331.tif 000002
【特許請求の範囲】
【請求項１】
ボトルキャップを開封するためのキャップ開封用キャップ挿込穴を備えたことを特徴とする家庭用冷蔵庫。
【請求項２】
ボトルキャップを挿し込むことが可能な内面に防滑手段を備えたキャップ挿込穴を庫外または庫内に、下向きまたは斜め下向きに備えたことを特徴とする家庭用冷蔵庫。
【発明の詳細な説明】
【０００１】
【発明の属する技術分野】
本発明は、主に家庭などにおいて使用される小型冷蔵庫（冷凍冷蔵庫を含む。）に関するものである。
【０００２】
【従来の技術】
近年、水、お茶、ジュースなどの飲料は、ペットボトルなどのプラスチックボトルに充填して広く販売されている。これらのプラスチックボトルのキャップは、直径が小さいこともあって、ある程度の握力がないと開封し難い。
【０００３】
そのため、主に握力の弱い子供やお年寄用として、例えば図５に示したように、一対の挟圧杆５１、５２を対向させると共に、挟圧杆５１、５２の先端部を回動自在に枢着し、挟圧杆５１、５２の対向する内側面の中央部に弾性素材よりなる防滑部材５１Ａ、５２Ａを取り付け、挟圧杆５１、５２の基端近くにバネ部材５３を介装し、バネ部材５３のバネ力により挟圧杆５１、５２を互いに離反するようにした構造のペットボトル用キャップオープナーが提案されている（例えば、特許文献１参照。）。
【０００４】
しかし、上記構成のキャップオープナーは、購入したとしても引き出しの中などに仕舞い込まれることが多い。また、人によっては所定の位置に仕舞うのを忘れ、行方不明となったキャップオープナーを探し回ることも少なくない。
【０００５】
【特許文献１】
登実第３０４７９６７号（図１参照。）。
【０００６】
【発明が解決しようとする課題】
したがって、清涼感を得るためや、腐敗防止の観点からボトル詰め飲料が飲まれる前に収納されることの多い冷蔵庫に、ボトルキャップを開封するための開封手段を設け、冷蔵庫から取り出した未開封ボトルのキャップの開封が、別売りのキャップオープナーをその都度捜さなくても簡単にできるようにする必要があり、それが解決すべき課題となっていた。
【０００７】
【課題を解決するための手段】
本発明は上記従来技術の課題を解決するため、ボトルキャップを開封するためのキャップ開封用キャップ挿込穴を備えるようにした第１の構成の家庭用冷蔵庫と、ボトルキャップを挿し込むことが可能な内面に防滑手段を備えたキャップ挿込穴を庫外または庫内に、下向きまたは斜め下向きに備えるようにした第２の構成の家庭用冷蔵庫とを提供するものである。
【０００８】
【発明の実施の形態】
以下、本発明の実施形態を図１〜図４に基づいて詳細に説明する。
図１に例示した本発明の家庭用冷蔵庫１００は、扉１の把手２の下部側に斜め下向き（下部側が手前、上部側が奥側）のキャップ挿込穴３を備えている。
【０００９】
キャップ挿込穴３は、ペットボトル１０などのキャップ１１の挿し込みが可能に、例えば下部開口径が３２ｍｍ、上部底径が２９ｍｍのテーパ状に形成されている。また、キャップ挿込穴３の内壁面には凹凸加工が施されて、キャップ挿込穴３に圧入されるボトルキャップ１０との摩擦係数を大きくし、キャップ挿込穴３に圧入されたキャップ１１を確実にホールドして、ペットボトル１０を反時計回りの方向に回転したときに、キャップ１１がペットボトル１０から確実に外れるように構成してある。
【００１０】
したがって、本発明の家庭用冷蔵庫１００においては、図示しない庫内から取り出した（庫内に保管されていなかったものでも構わない）ペットボトル１０が未開封のボトルであっても、キャップ挿込穴３にキャップ１１を圧入し、ペットボトル１０を反時計回りの方向に回転することで、キャップ１１を簡単に開封することができるので、握力が弱いために直径の小さいキャップ１１を摘んで開封することが苦手な子供やお年寄であっても、難なく開封することができる。
【００１１】
なお、キャップ挿込穴３の内面には、キャップ１１のホールドが一層確実に行えるように、摩擦係数の大きい硬質ゴムなどが貼り付けられても良い。
【００１２】
また、キャップ挿込穴３は、図３に示したように周囲の一部が開口した状態に設けられても良い。キャップ挿込穴３がこのように形成されていると、ペットボトル１０のキャップ１１をキャップ挿込穴３に圧入すると、キャップ挿込穴３を囲繞形成している部材、この場合は把手２を形成している部材が僅かに弾性変形して拡径され、その際に生じる応力によりキャップ１１がホールドされるので、キャップ挿込穴３（実際には把手２を形成している部材）がキャップ１１をホールドする力が強まる。
【００１３】
そのため、ペットボトル１０を反時計回りの方向に回転して未開封のキャップ１１を開封するときに、キャップ１１をキャップ挿込穴３に強い力で押し付け続ける必要がなくなると云った特長がある。
【００１４】
また、冷却される庫内とは隔離した状態、例えば図４に示したように扉１の表側に設けた小型のポケット４を開閉する小扉５の内面に設けたり、ポケット４内に設けることも可能であり、さらには冷却される庫内に設けられても良い。キャップ挿込穴３が上記の位置に設けられると、庫外の埃でキャップ挿込穴３が汚れることがないと云った利点がある。
【００１５】
なお、本発明は上記実施形態に限定されるものではないので、特許請求の範囲に記載の趣旨から逸脱しない範囲で各種の変形実施が可能である。
【００１６】
例えば、キャップ挿込穴３は、直径が異なるものを複数個設けるようにしても良いし、取り外し可能にして、直径の異なるものを交換して使用することなども可能である。
【００１７】
【発明の効果】
以上説明したように、本発明はボトルキャップを開封するためのキャップ開封用キャップ挿込穴を備えるようにした家庭用冷蔵庫であり、また、ボトルキャップを挿し込むことが可能な内面に防滑手段を備えたキャップ挿込穴を庫外または庫内に、下向きまたは斜め下向きに備えるようにした家庭用冷蔵庫であるので、例えば庫内に保管して冷却したペットボトルなどが未開封であり、握力の弱い子供やお年寄が開封するときにも、ボトルキャップをキャップ挿込穴に挿し込んでボトルを反時計回りの方向に回転させることで簡単に開封することができる。
【図面の簡単な説明】
【図１】本発明の家庭用冷蔵庫の構成を示す説明図である。
【図２】図１に示した家庭用冷蔵庫の要部を示す説明図である。
【図３】本発明の家庭用冷蔵庫の他の構成の要部を示す説明図である。
【図４】本発明の家庭用冷蔵庫の他の構成の要部を示す説明図である。
【図５】従来技術を示す説明図である。
【符号の説明】
１  扉
２  把手
３  キャップ挿込穴
４  ポケット
５  小扉
１０  ペットボトル
１１  キャップ
１００  家庭用冷蔵庫
【図１】
2004286331.tif 000003
【図２】
2004286331.tif 000004
【図３】
2004286331.tif 000005
【図４】
2004286331.tif 000006
【図５】
2004286331.tif 000007